(57)【要約】【課題】  一方のコネクタの各コンタクトのピッチと他方のコネクタの各コンタクトのピッチがずれていても、両コネクタがスムーズに嵌合できるＺＩＦコネクタを提供する。【解決手段】  コネクタ１は、フレーム２と、フレーム２に設けられたインシュレータ３と、インシュレータ３に紙面に直角な方向に一定のピッチで保持される複数のコンタクト４と、フレーム２に回転可能に保持されるカム５とから構成される。コネクタ１１は、フレーム１２と、フレーム１２に設けられたインシュレータ１３と、インシュレータ１３に回転可能に、かつ、各コンタクト４のピッチ方向にスライド可能に保持されるフローティングインシュレータ１５と、インシュレータ１３及びフローティングインシュレータに紙面に直角な方向に一定のピッチで保持される複数のフローティングコンタクト１４とから構成される。カム５が（Ａ）図右半部において９０゜左回転すると、フローティングインシュレータが軸１６を中心に右回転することによって、各フローティングコンタクトが各コンタクトにそれぞれ接続する。【選択図】  図１
2005203323.tif 000002
【特許請求の範囲】
【請求項１】
一方のコネクタと他方のコネクタが嵌合離脱するＺＩＦコネクタにおいて、
前記一方のコネクタは、フレームと、前記フレームに設けられたインシュレータと、前記インシュレータに一定のピッチで保持される複数のコンタクトと、前記フレームに回転可能に保持される操作部材とから構成され、
前記他方のコネクタは、フレームと、該フレームに設けられたインシュレータと、該インシュレータに回転可能に、かつ、前記各コンタクトのピッチ方向にスライド可能に保持されるフローティングインシュレータと、該インシュレータ及び前記フローティングインシュレータに一定のピッチで保持される複数のフローティングコンタクトとから構成され、
前記操作部材が操作されると、前記フローティングインシュレータが回転することによって、前記各フローティングコンタクトが前記各コンタクトにそれぞれ接続することを特徴とするＺＩＦコネクタ。
【請求項２】
前記フローティングインシュレータを前記各コンタクトのピッチ方向に位置決めするためのガイド部が前記一方のコネクタのフレームに設けられたことを特徴とする請求項１記載のＺＩＦコネクタ。
【請求項３】
前記各フローティングコンタクトは前記フローティングインシュレータを前記各コンタクトと接続する方向とは反対方向に向けて常時付勢することを特徴とする請求項１記載のＺＩＦコネクタ。
【発明の詳細な説明】
【技術分野】
【０００１】
本発明は、一方のコネクタの他方のコネクタに対する挿入抜去を無挿抜力（Zero Insertion Force）によって行うことができるＺＩＦコネクタに関する。
【背景技術】
【０００２】
従来のＺＩＦコネクタについて説明する（例えば、特許文献１参照。）。
【０００３】
図４は、一方のコネクタ４１と他方のコネクタ５１とが嵌合（接続）している状態を示す断面図である。図５は、一方のコネクタ４１と他方のコネクタ５１とが離脱（非接続）している状態を示す断面図である。
【０００４】
コネクタ４１のインシュレータ４２には、左右両側の内部に溝４２ａが設けられ、各溝４２ａ内に多数のコンタクト４３が紙面に直角な方向に一定のピッチで保持されている。インシュレータ４２の上部には、駆動部材４４が回転可能に支持され、駆動部材４４に複数の略楕円形状のカム部４４ａが設けられている。また、インシュレータ４２の上部には、一対のアクチュエータ４５が左右方向にスライド可能に支持されている。各アクチュエータ４５の中央には、略Ｕ字形状の貫通溝４５ａが設けられ、貫通溝４５ａにいくつかのカム部４４ａが係合している。更に、各アクチュエータ４５の上部外端には、突出部４５ｂが設けられ、突出部４５ｂに各コンタクト４３の一端４３ａが係合している。各コンタクト４３の他端４３ｂは、一方の回路基板６１の表面又は裏面に接続している。
【０００５】
コネクタ５１のインシュレータ５２には、左右両側の内部に多数のコンタクト５３が紙面に直角な方向に一定のピッチで保持されている。各コンタクト５３の折曲した一端５３ａは、他方の回路基板７１に接続している。
【０００６】
図４に示される状態では、各コンタクト４３の折曲突出部４３ｃは、各コンタクト４３が有する弾力性によって各コンタクト５３の平坦部５３ｂに接続している。
【０００７】
駆動部材４４が図４に示される位置から図５に示される位置まで右回転すると、いくつかのカム部４４ａは右側のアクチュエータ４５を左方にスライドさせ、他のカム部４４ａは左側のアクチュエータ４５を右方にスライドさせる。したがって、右側のアクチュエータ４５の突出部４５ｂが右側の各コンタクト４３の一端４３ａを左方に押すので、右側の各コンタクト４３の折曲突出部４３ｃは右側の各コンタクト５３の平坦部５３ｂから離間する。また、左側のアクチュエータ４５の突出部４５ｂが左側の各コンタクト４３の一端４３ａを右方に押すので、左側の各コンタクト４３の折曲突出部４３ｃは左側の各コンタクト５３の平坦部５３ｂから離間する。
【０００８】
【特許文献１】特開２０００−３４０３１０号公報
【発明の開示】
【発明が解決しようとする課題】
【０００９】
前記従来のＺＩＦコネクタにおいては、一方のコネクタ４１の各コンタクト４３のピッチと他方のコネクタ５１の各コンタクト５３のピッチがずれていると、両コネクタ４１，５１は、スムーズに嵌合することができない。
【００１０】
そこで、本発明は、前記従来のＺＩＦコネクタの欠点を改良し、一方のコネクタの各コンタクトのピッチと他方のコネクタの各コンタクトのピッチがずれていても、両コネクタがスムーズに嵌合することができるＺＩＦコネクタを提供しようとするものである。
【課題を解決するための手段】
【００１１】
本発明は、前記課題を解決するため、次の手段を採用する。
【００１２】
１．一方のコネクタ（１）と他方のコネクタ（１１）が嵌合離脱するＺＩＦコネクタにおいて、前記一方のコネクタは、フレームと、前記フレームに設けられたインシュレータと、前記インシュレータに一定のピッチで保持される複数のコンタクトと、前記フレームに回転可能に保持される操作部材（カム５）とから構成され、前記他方のコネクタは、フレームと、該フレームに設けられたインシュレータと、該インシュレータに回転可能に、かつ、前記各コンタクトのピッチ方向にスライド可能に保持されるフローティングインシュレータと、該インシュレータ及び前記フローティングインシュレータに一定のピッチで保持される複数のフローティングコンタクトとから構成され、前記操作部材が操作されると、前記フローティングインシュレータが回転することによって、前記各フローティングコンタクトが前記各コンタクトにそれぞれ接続するＺＩＦコネクタ。
【００１３】
２．前記フローティングインシュレータを前記各コンタクトのピッチ方向に位置決めするためのガイド部が前記一方のコネクタのフレームに設けられた前記１記載のＺＩＦコネクタ。
【００１４】
３．前記各フローティングコンタクトは前記フローティングインシュレータを前記各コンタクトと接続する方向とは反対方向に向けて常時付勢する前記１記載のＺＩＦコネクタ。
【発明の効果】
【００１５】
明細書の記載から明らかなように、本発明によれば、次の効果が、奏される。
【００１６】
１．一方のコネクタの各コンタクトのピッチと他方のコネクタの各フローティングコンタクトのピッチがずれていても、両コネクタはスムーズに嵌合することができる。
【００１７】
２．フローティングインシュレータがインシュレータに回転可能に、かつ、各フローティングコンタクトのピッチ方向にスライド可能に保持されるという構成によって、所期の目的が達成されるので、構造が簡単であり、また、コストが安価である。
【００１８】
３．一方のコネクタのフレームにガイド部が設けられているので、フローティングインシュレータの位置決めが容易に行われる。
【００１９】
４．各フローティングコンタクトはフローティングインシュレータを各コンタクトと接続する方向とは反対方向に向けて常時付勢しているので、両コネクタが嵌合するとき、各フローティングコンタクトは各コンタクトと接触しない。したがって、両コネクタは、抵抗なく嵌合することができる。
【発明を実施するための最良の形態】
【００２０】
本発明の一実施例のＺＩＦコネクタについて説明する。
【実施例１】
【００２１】
本発明の実施例１のフローティング構造を有するＺＩＦコネクタについて図１〜図３を参照して説明する。
【００２２】
図１（Ａ）における左半部は、一方のコネクタ１と他方のコネクタ１１が嵌合して接続している状態の断面図、右半部は、一方のコネクタ１と他方のコネクタ１１が嵌合しているが、接続していない状態の断面図、図１（Ｂ）は、一方のコネクタ１の複数のコンタクト４と他方のコネクタ１１の複数のフローティングコンタクト１４の配置関係の正面図（ただし、この図は、後述するように便宜的なものである。）を、それぞれ示す。
【００２３】
コネクタ１の合成樹脂製のフレーム２の下半部中央の空所２ａには、インシュレータ３が設けられ、インシュレータ３の左右両側に多数のコンタクト４が紙面に直角な方向に一定のピッチで保持されている。各コンタクト４の一端４ａは、マザーボード２１に接続され、他端４ｂは、湾曲状に形成されている。フレーム２の左右両側付近の内部には、半円柱状のカム５が回転可能に保持されている。
【００２４】
コネクタ１１の合成樹脂製のフレーム１２は、嵌合の際、コネクタ１のフレーム２の上半部中央に設けられた空所２ｂ内に挿入される。フレーム１２の中央には、インシュレータ１３が設けられ、インシュレータ１３の左右両側に多数のフローティングコンタクト１４が紙面に直角な方向に一定のピッチで保持されている。各コンタクト１４の一端１４ａは、ドーターボード３１の表面又は裏面に接続され、他端１４ｂは、フローティングインシュレータ１５に固定されている。各フローティングインシュレータ１５は、インシュレータ１３の下部両側に固定された各軸１６に回転可能に、かつ、スライド可能（後述する。）に保持されている。
【００２５】
図１（Ａ）の右半部において、カム５がその中心５ａの回りに９０゜左回転すると、フローティングインシュレータ１５は、カム５に押圧されて軸１６を中心として実線の位置から２点鎖線の位置まで右回転する。このとき、各フローティングコンタクト１４は、各コンタクト４の他端４ｂを押圧して各コンタクト４を弾性変形させる。この結果、コネクタ１とコネクタ１１の関係は、図１（Ａ）の左半部の状態に至って接続される。
【００２６】
フローティング構造について図１（Ｂ）と図２を参照して説明する。
【００２７】
図１（Ｂ）は、左側から１〜３番目の各フローティングコンタクト１４がそれぞれ左側から１〜３番目の各コンタクト４に接続し、左側から４，５番目の各フローティングコンタクト１４が傾斜してそれぞれ左側から５，６番目の各コンタクト４に接続している状態を便宜的に示している。実際は、以下に図２を参照して説明する理由によって、左側から１〜５番目の各フローティングコンタクト１４は、全て傾斜してそれぞれ左側から２〜６番目の各コンタクト４に接続する。
【００２８】
各フローティングコンタクト１４若しくは各コンタクト４の製作上の誤差又はコネクタ１とコネクタ１１の嵌合姿勢等に基因して、各フローティングコンタクト１４が全て傾斜せずにそれぞれ各コンタクト４に接続し難い場合には、フローティングインシュレータ１５は次の作用を営む。すなわち、コネクタ１１がコネクタ１と嵌合するとき、図２（Ａ）に示されるように、フローティングインシュレータ１５は、各フローティングコンタクト１４から矢印方向の付勢力を与えられるので、軸１６に沿ってスライドする。そして、フローティングインシュレータ１５は１ピッチ分矢印方向にスライドし、各フローティングコンタクト１４は全て傾斜し、図２（Ｂ）に示される状態に至る。したがって、コネクタ１の各コンタクト４のピッチとコネクタ１１の各フローティングコンタクト１４のピッチがずれていても、両コネクタ１，１１はスムーズに嵌合することができる。
【００２９】
フローティングインシュレータ１５のフレーム２へのガイド構造について図１（Ａ）と図３を参照して説明する。
【００３０】
図３（Ａ）に示されるように、フローティングインシュレータ１５の下部の左右両側には、傾斜面１５ａが設けられ、また、図３（Ｂ）に示されるように、フレーム２の内部の左右両側には、ガイド部２ｃが設けられている。フローティングインシュレータ１５が図１（Ａ）の右半部の実線の位置から２点鎖線の位置まで軸１６を中心として右回転するとき、各傾斜面１５ａは各ガイド部２ｃによって位置決めされる。したがって、フローティングインシュレータ１５は、スムーズに軸１６を中心として回転することができると共に軸１６に沿って僅かにスライドすることもできる。
【００３１】
なお、実施例１では、傾斜面１５ａをフローティングインシュレータ１５に設けたが、フレーム２に設けるように設計変更することができる。
【図面の簡単な説明】
【００３２】
【図１】本発明の実施例１のＺＩＦコネクタの嵌合状態の全体図と、同コネクタにおける各コンタクトの配置関係図であり、（Ａ）の左半部は一方のコネクタと他方のコネクタが嵌合して接続している状態の断面図、（Ａ）の右半部は同一方のコネクタと同他方のコネクタが嵌合しているが接続していない状態の断面図、（Ｂ）は同一方のコネクタの複数のコンタクトと同他方のコネクタの複数のフローティングコンタクトの配置関係の正面図（ただし、便宜的なもの）を、それぞれ示す。
【図２】同他方のコネクタにおけるフローティングインシュレータ及び各フローティングコンタクトの嵌合状態の模式的正面図であり、（Ａ）は接続前、（Ｂ）は接続後を、それぞれ示す。
【図３】同他方のコネクタのフローティングインシュレータを同一方のコネクタのフレームにガイドする構造の模式的拡大斜視図であり、（Ａ）は同他方のコネクタの要部、（Ｂ）は同一方のコネクタの要部を、それぞれ示す。
【図４】従来のＺＩＦコネクタにおける一方のコネクタと他方のコネクタの接続状態の断面図である。
【図５】同一方のコネクタと同他方のコネクタが嵌合しているが、接続していない状態の断面図である。
【符号の説明】
【００３３】
１  一方のコネクタ
２  フレーム
２ａ  空所
２ｂ  空所
２ｃ  ガイド部
３  インシュレータ
４  コンタクト
４ａ  一端
４ｂ  他端
５  カム
５ａ  中心
１１  他方のコネクタ
１２  フレーム
１３  インシュレータ
１４  フローティングコンタクト
１４ａ  一端
１４ｂ  他端
１５  フローティングインシュレータ
１５ａ  傾斜面
１６  軸
２１  マザーボード
３１  ドーターボード
【図１】
2005203323.tif 000003
【図２】
2005203323.tif 000004
【図３】
2005203323.tif 000005
【図４】
2005203323.tif 000006
【図５】
2005203323.tif 000007